(57)【特許請求の範囲】
【請求項１】
内容物が収容される内容器と、
該内容器を着脱自在に収納する横断面視多角形状の外容器と、
前記外容器の下端部に着脱自在に装着され、該外容器の下端開口を閉塞して前記内容器を前記外容器との間に保持する底蓋と、を備え、
前記底蓋は、
前記下端開口内に挿入された横断面視多角形状の枠体と、
前記枠体の内側に前記外容器の容器軸回りに回転可能に配設された回転部材と、を備え、
前記外容器の前記下端部には、前記容器軸回りの周方向に沿って間隔をあけて複数の係合部が形成され、
前記回転部材には、前記係合部に前記容器軸方向に沿う前記外容器の内側から各別に係合する複数の被係合部が形成され、
前記回転部材は、前記被係合部が前記係合部に係合し、前記容器軸方向に沿う前記底蓋の移動を規制する規制位置と、前記係合部及び前記被係合部が周方向に互いに離間し、前記容器軸方向に沿う前記底蓋の移動の規制を解除する解除位置と、の間を前記容器軸回りに回転可能に配設されていることを特徴とする二重容器。
【請求項２】
前記枠体には、前記被係合部における周方向の一端部に当接して前記回転部材を前記規制位置に位置決めする位置決め部が形成されていることを特徴とする請求項１記載の二重容器。
【請求項３】
前記回転部材の底壁部のうち、外周部分よりも前記容器軸に直交する径方向の内側に位置する部分に、径方向の外側から内側に向かうに従い前記容器軸方向に沿う前記外容器の内側に向けて窪むドーム部が形成されるとともに、前記ドーム部に前記容器軸方向に沿う前記外容器の外側に向けて摘み片が突設され、
前記摘み片における前記容器軸方向に沿う前記外容器の外側の端部が、前記外周部分に対して前記容器軸方向に沿う同位置、または前記外周部分よりも前記容器軸方向に沿う前記外容器の内側に位置していることを特徴とする請求項１または請求項２記載の二重容器。
【請求項４】
前記外容器は、前記内容器の肩部を覆うとともに、その内側に前記内容器の口部が挿入された肩カバーを備えていることを特徴とする請求項１から請求項３の何れか１項に記載の二重容器。
【発明の詳細な説明】
【技術分野】
【０００１】
本発明は、二重容器に関する。
【背景技術】
【０００２】
化粧水等の化粧料や、シャンプー、リンス、液体石鹸等の内容物が収容された内容器を外容器内に収納し、内容器の口部に取り付けられた吐出器を操作することによって内容物を吐出する二重容器が知られている。このような二重容器としては、外容器のうち、胴部の下端開口を閉塞するとともに、一端側が胴部の下端後部に回動可能に連結され、かつ他端側が胴部の下端前部に係脱可能に係合された底蓋を備える構成が知られている（例えば、特許文献１参照）。
【先行技術文献】
【特許文献】
【０００３】
【特許文献１】実用新案登録第２５６５４０５号公報
【発明の概要】
【発明が解決しようとする課題】
【０００４】
本発明は、横断面視多角形状の外容器内に内容器を強固に保持できるとともに、内容器の取り外し時においては、内容器を容易に取り外することができる操作性に優れた二重容器を提供することを目的とする。
【課題を解決するための手段】
【０００５】
上記課題を解決するために、本発明は以下の手段を提案している。
本発明に係る二重容器は、内容物が収容される内容器と、該内容器を着脱自在に収納する横断面視多角形状の外容器と、前記外容器の下端部に着脱自在に装着され、該外容器の下端開口を閉塞して前記内容器を前記外容器との間に保持する底蓋と、を備え、前記底蓋は、前記下端開口内に挿入された横断面視多角形状の枠体と、前記枠体の内側に前記外容器の容器軸回りに回転可能に配設された回転部材と、を備え、前記外容器の前記下端部には、前記容器軸回りの周方向に沿って間隔をあけて複数の係合部が形成され、前記回転部材には、前記係合部に前記容器軸方向に沿う前記外容器の内側から各別に係合する複数の被係合部が形成され、前記回転部材は、前記被係合部が前記係合部に係合し、前記容器軸方向に沿う前記底蓋の移動を規制する規制位置と、前記係合部及び前記被係合部が周方向に互いに離間し、前記容器軸方向に沿う前記底蓋の移動の規制を解除する解除位置と、の間を前記容器軸回りに回転可能に配設されていることを特徴としている。
【０００６】
このような特徴により、回転部材が上述の規制位置に位置しているときには、被係合部が係合部に係合するため、底蓋の、容器軸方向に沿う外容器の外側に向けた移動の規制が解除されるのを抑制できる。
一方で、底蓋の取り外し時においては、枠体に対して回転部材を回転させ、回転部材を上述した解除位置に位置させることで、係合部と被係合部との係合が解除されるため、底蓋の、容器軸方向に沿う外容器の外側に向けた移動の規制を解除できる。
この場合、係合部及び被係合部がそれぞれ複数ずつ設けられているので、底蓋を外容器に対して大きく回転移動させなくても、上述の規制位置と解除位置とを切り替えることが可能になり、底蓋を外容器に着脱する際の操作性を向上させることができる。また、係合部と被係合部とがアンダーカット嵌合ではなく回転部材を容器軸回りに回転移動させることにより互いに係合するので、例えば係合部及び被係合部のうち少なくとも一方の突出量を高くする等して互いの係合代を大きくしても、これらを互いに容易に係合させることができる。
以上により、横断面視多角形状の外容器内に内容器を強固に保持できるとともに、内容器の取り外し時においては、内容器を容易に取り外すことができる操作性に優れた二重容器を提供できる。
【０００７】
また、前記枠体には、前記被係合部における周方向の一端部に当接して前記回転部材を前記規制位置に位置決めする位置決め部が形成されていてもよい。
【０００８】
この場合、規制位置において、回転部材の周方向の一端側への移動が規制されるため、被係合部を係合部に容易、かつ確実に係合させることができる。
【０００９】
また、前記回転部材の底壁部のうち、外周部分よりも前記容器軸に直交する径方向の内側に位置する部分に、径方向の外側から内側に向かうに従い前記容器軸方向に沿う前記外容器の内側に向けて窪むドーム部が形成されるとともに、前記ドーム部に前記容器軸方向に沿う前記外容器の外側に向けて摘み片が突設され、前記摘み片における前記容器軸方向に沿う前記外容器の外側の端部が、前記外周部分に対して前記容器軸方向に沿う同位置、または前記外周部分よりも前記容器軸方向に沿う前記外容器の内側に位置していてもよい。
【００１０】
この場合、摘み片を摘んで回転部材を操作できるため、操作性を向上させることができる。また、摘み片における容器軸方向に沿う外容器の外側の端部が、外周部分に対して容器軸方向に沿う同位置、または外周部分よりも容器軸方向に沿う外容器の内側に位置しているため、摘み片が外容器よりも容器軸方向に沿う外側に突出することがなく、二重容器を安定して接地させることができる。
【００１１】
また、前記外容器は、前記内容器の肩部を覆うとともに、その内側に前記内容器の口部が挿入された肩カバーを備えていてもよい。
【００１２】
この場合、外容器のうち容器軸方向に沿う下端部とは反対側（肩カバー側）への内容器の移動を規制できるので、外容器内に内容器を確実に保持できる。
【発明の効果】
【００１３】
本発明に係る二重容器によれば、横断面視多角形状の外容器内に内容器を強固に保持できるとともに、内容器の取り外し時においては、内容器を容易に取り外すことができる操作性に優れた二重容器を提供できる。
【図面の簡単な説明】
【００１４】
【図１】本発明の実施形態に係る二重容器の部分断面図である。
【図２】本発明の実施形態に係る二重容器の底面図である。
【図３】底蓋の側面図（規制位置）である。
【図４】底蓋の側面図（解除位置）である。
【図５】底蓋を取り外した状態を示す外容器と底蓋の下部断面図である。
【図６】（ａ）は解除位置の二重容器を示す下部断面図であり、（ｂ）は底面図である。
【図７】本発明の他の構成を示す二重容器の底面図（規制位置）である。
【図８】本発明の他の構成を示す二重容器の底面図（解除位置）である。
【発明を実施するための形態】
【００１５】
以下、図面を参照し、本発明の実施形態に係る二重容器を説明する。
図１に示すように、本実施形態に係る二重容器１は、内容物が収容された有底筒状の内容器６と、内容器６に装着される有頂筒状の吐出器３１とを備えたカートリッジ体２と、カートリッジ体２を着脱自在に収納する横断面視多角形状の筒状をなす外容器３と、外容器３の下端部２２に着脱自在に装着され、外容器３の下端開口２４を閉塞して前記内容器６を外容器３との間に保持する底蓋４と、有頂筒状のオーバーキャップ５と、を備えている。なお、カートリッジ体２、外容器３、及びオーバーキャップ５は、それぞれの中心軸線が共通軸上に位置させられた状態で配設されている。
【００１６】
まず外容器３の胴部１２は横断面形状が正方形状に形成されており、上述した共通軸は横断面がなす正方形状の中央部を通る直線となっている。以下、この共通軸を容器軸Ｏといい、容器軸Ｏ方向に沿うオーバーキャップ５側を上側とし、外容器３の下端開口２４側を下側とし、容器軸Ｏに直交する方向を径方向とし、さらに容器軸Ｏ回りの方向を周方向とする。
【００１７】
図１，２に示すように、外容器３の胴部１２は、容器軸Ｏ方向に沿って延在する四隅の角部１３（図２参照）と、隣接する角部１３間に形成された四面の主壁部１４と、で構成されている。上述した角部１３は、横断面視において径方向外側に向けて突の円弧状に形成されており、隣接する角部１３のうち周方向で対向する端部同士が平面状の主壁部１４により架け渡されている。
【００１８】
図１に示すように、胴部１２の上端縁からは、内容器６の後述する肩部３３を覆うとともに、その内側に内容器６の後述する口部３７が挿入された肩カバー１５が連設されている。具体的に、肩カバー１５は、胴部１２の上端縁から径方向の内側に向かうに従い上方に向けて傾斜する下段部１６と、下段部１６の内周縁から上方に向けて延設された縦筒部１７と、縦筒部１７の上端縁から径方向の内側に向けて突設された上段部１８と、を備えている。そして、上段部１８の内側には、容器軸Ｏ方向に向けて開口する頂部開口１９が形成されている。尚、前記肩カバー１５は、外容器３の胴部１２と別体で形成されていてもよい。
【００１９】
胴部１２の下端部２２は、該下端部２２より上方に位置する胴部１２（上方胴部）より内径が大きくなっており、胴部１２の上方胴部内面と下端部２２の内面とは、下方を向く段差部２１を介して連なっている。そして、下端部２２の下端開口が、容器軸Ｏ方向に向けて開口する外容器３の下端開口２４を構成している。下端部２２のうち、各主壁部１４に位置する部分には径方向の内側に向けて突出する係合部２３が各別に形成されている。これらの係合部２３は、下端部２２における容器軸Ｏ方向の中間部分に配設されている。また、各係合部２３は、容器軸Ｏ方向に沿う縦断面視が略矩形状に形成されるとともに、各主壁部１４上を周方向に沿って延在している。各係合部２３における周方向の中心を通り容器軸Ｏ方向に延びる係合部２３の中心線と、各主壁部１４における周方向の中心を通り容器軸Ｏ方向に延びる主壁部１４の中心線と、が一致している。また、各係合部２３の径方向における内側端部と、段差部２１の径方向の内側端縁と、は径方向に沿う位置が互いに同等になっている。
【００２０】
内容器６の胴部３２は、横断面形状が正方形状に形成され、横断面がなす正方形状の中央部に上述した容器軸Ｏが通っている。胴部３２は、上述した外容器３の内面形状に倣って形成されており、外容器３の胴部１２内に嵌合されている。
【００２１】
また、内容器６の肩部３３は、上述した外容器３の肩カバー１５の内面形状に倣って下段部３４、縦筒部３５、及び上段部３６を有している。そして、肩部３３は、上述した外容器３の肩カバー１５に覆われるとともに、その外面が肩カバー１５の内面に近接または当接している。
【００２２】
内容器６の口部３７は、上段部３６の内周縁から上方に向けて延設された筒状をなしている。具体的に、口部３７は、根元部分が上述した外容器３の頂部開口１９内に嵌合されるとともに、先端部分が外容器３の上段部１８よりも上方に向けて突出している。
一方、内容器６の底部４１のうち、径方向の中央部に位置する部分には、下方に向けて膨出する膨出部４２が形成されている。膨出部４２は、平面視で円形状に形成されている。なお、内容器６は角筒や円筒、楕円筒等、特に限定しないが、内容器６が外容器３に対して回転しない構成とすることが好ましい。
【００２３】
吐出器３１は、内容器６内に収容された内容物を吐出するポンプ部材４３と、このポンプ部材４３を内容器６に取り付ける取付キャップ４４と、を備えている。
まず取付キャップ４４は、上述した内容器６における口部３７に螺着された装着筒４５と、装着筒４５の上方に設けられ、後述するポンプヘッド４６の容器軸Ｏ方向に沿った上下動を案内する案内筒４７と、装着筒４５を径方向の外側から囲繞する外装筒４８と、を備えている。
【００２４】
外装筒４８の上端縁には、径方向の内側に向けて連結環４９が突設されており、この連結環４９の内周縁が案内筒４７の下端部に連設されている。外装筒４８は、上述した外容器３の縦筒部１７よりも径方向の内側に位置するとともに、その下端縁は外容器３の上段部１８に近接している。
また、装着筒４５と案内筒４７との連結部分には、その内周面から径方向の内側に向けてフランジ状のポンプ装着部５１が突設されており、このポンプ装着部５１にポンプ部材４３が固定されている。
【００２５】
ポンプ部材４３は、容器軸Ｏと同軸に配設されるとともに、ポンプ装着部５１に固定された筒状のポンプ本体５２と、ポンプ本体５２の上端部に装着されたポンプヘッド４６と、を備えている。
ポンプ本体５２は、取付キャップ４４内及び内容器６内に挿入されており、その上端部が取付キャップ４４の案内筒４７の内側に位置するとともに、下端部が内容器６の胴部３２の内側に位置している。また、ポンプ本体５２における容器軸Ｏ方向に沿う中途部には、径方向の外側に向けてフランジ部５２ａが突設されている。このフランジ部５２ａは、パッキン５３を間に挟んだ状態で内容器６の口部３７の上端開口縁に支持されている。
【００２６】
ポンプ本体５２の内部には、内容器６内に収容された内容物が流通可能な図示しない導入路が形成されている。この導入路は、下端側が吸上筒５４を介して内容器６内に連通しているとともに、上端側がポンプヘッド４６の後述する吐出口４６ａに連通している。また、ポンプ本体５２内においてポンプ装着部５１より下方に位置する部分には、図示しないピストン部材が配設されている。
【００２７】
ポンプヘッド４６は、ポンプ本体５２の上端部に上方付勢状態で配置され、その外径が取付キャップ４４の案内筒４７の内径よりも小さくなっており、案内筒４７の内側で容器軸Ｏ方向に沿って移動可能とされている。ポンプヘッド４６には、上述した導入路内に導入された内容物を外部に吐出する吐出口４６ａが形成されている。
【００２８】
図１〜３に示すように、底蓋４は、有底筒状に形成され、外容器３の下端開口２４内に挿入された横断面視多角形状の枠体６１と、枠体６１の内側に容器軸Ｏ回りに回転可能に配設された回転部材６２と、を備えている。
枠体６１は、下端開口２４を閉塞する底壁部６３を備えている。底壁部６３は、平面視正方形状に形成され、その外周縁が外容器３の下端部２２の内面形状に倣って形成されている。また、底壁部６３は、下端開口２４の内側に配設されており、その下端面が外容器３の下端縁よりも上方に位置している。枠体６１における径方向の中央部には、平面視円形状の開口部６４が形成されている。なお、底壁部６３の下端面は、外容器３の下端縁と面一に配置されていても構わない。
【００２９】
底壁部６３の外周縁には、上方に向けて外筒部６５が立設されている。外筒部６５は、底壁部６３の全周を取り囲む角筒状に形成され、下端部２２内に配設されている。具体的に、外筒部６５は、上述した外容器３の下端部２２の内面に倣って延在する角部６７及び主壁部６６を有している。外筒部６５の上端縁は、外容器３の下端部２２内で段差部２１に当接または近接している。
【００３０】
また、外筒部６５の各主壁部６６のうち、上述した外容器３の各係合部２３に容器軸Ｏ方向で重なる部分には、各係合部２３を各別に収容する複数の切欠き部６８が形成されている。各切欠き部６８は、主壁部６６の上端縁から下方に向けて切り込まれており、係合部２３における下方及び周方向の両側を囲むように形成されている。
切欠き部６８は、周方向及び容器軸Ｏ方向に沿う大きさが係合部２３よりも大きくなっている。また、切欠き部６８における周方向の中心を通り容器軸Ｏ方向に延びる切欠き部６８の中心線は、上述した主壁部６６の中心線に対して周方向にオフセットしている。本実施形態では、各主壁部６６の中心線から、各切欠き部６８における周方向の一端側の側縁部（位置決め部）６８ａまでの距離は、各切欠き部６８における周方向の他端側の側縁部６８ｂまでの距離に比べて短くなっている（図３参照）。
【００３１】
図２に示すように、枠体６１には、各切欠き部６８の上述した一端側の側縁部６８ａから切欠き部６８に対して周方向の外側に向けて周方向に沿うように湾曲しながら延びるガイド壁６９が各別に形成されている。各ガイド壁６９は、径方向の外側に向けて突の曲面状に形成されるとともに、容器軸Ｏ方向に沿う長さが外筒部６５と同等に形成されている。また、ガイド壁６９の内周面は、回転部材６２の後述する囲繞筒７５の外周面に沿って延在している。
【００３２】
各ガイド壁６９は、周方向に沿う内側端部が切欠き部６８の上述した一端側の側縁部６８ａに連設され、周方向に沿う外側端部は周方向で隣り合う他の切欠き部６８の他端側の側縁部６８ｂに対して離間している。
尚、本実施形態の場合、前記側縁部６８ａが回転部材６２の位置決め部（規制位置）として機能する。
また、ガイド壁６９の自由端（周方向に沿う外側端部）を、回転部材６２を解除位置に位置決めする位置決め部として機能するようにしてもよい。
【００３３】
図１〜３に示すように、底壁部６３における開口部６４の開口縁には、上方に向けて内筒部７１が立設されている。内筒部７１は、開口部６４の全周を取り囲む円筒状に形成されている。内筒部７１の上端縁は、外筒部６５よりも下方に位置している。また、内筒部７１における上端部の内面には、径方向の内側に向けて突出する突出部７２（図１参照）が全周に亘って形成されている。
【００３４】
回転部材６２は、有底筒状の平面視円形状に形成され、上述した枠体６１の開口部６４内に配設されている。具体的に、回転部材６２は、底壁部７３及び周壁部７４と、周壁部７４を径方向の外側から囲繞する囲繞筒７５と、を備えている。
底壁部７３は、平面視円形状に形成され、その外周部分７３ａよりも径方向の内側に位置する部分には、径方向の外側から内側に向かうに従い上方に向けて窪むドーム部７６が形成されている。ドーム部７６の上面における径方向の中央部は、内容器６の膨出部４２の下面に近接または当接している。
【００３５】
また、ドーム部７６の下面には、下方に向けて突出する摘み片７７が形成されている。この摘み片７７は、径方向のうちの一方向に沿って延在しており、底壁部７３の外周部分７３ａのうち上述の一方向で互いに対向する部分同士を連結している。すなわち、摘み片７７は、ドーム部７６を径方向のうちの一方向に直交する他方向に区画するように延在している。また、底壁部７３の外周部分７３ａ及び摘み片７７の各下面は、上述した枠体６１の底壁部６３と面一に配置されるとともに、外容器３の下端縁よりも上方に配置されている。
【００３６】
周壁部７４は、底壁部７３の外周縁から上方に向かって立設され、枠体６１の内筒部７１内に配設されている。周壁部７４の外面には、径方向の外側に向けて突出する突出部７８が周方向に間隔をあけて複数形成されている。そして、これら突出部７８が上述した枠体６１の突出部７２にアンダーカット嵌合されることで、回転部材６２が枠体６１に対して容器軸Ｏ回りに回転可能に保持されている。なお、突出部７２，７８は、少なくとも一方が全周に亘って形成されていれば、他方が周方向に間欠的に形成されていても構わない。また、安定した相互回転が可能であれば、突出部７２，７８の両方が間欠的に形成されていてもよい。
【００３７】
周壁部７４の上端縁には、径方向の外側に向けて突出するフランジ部８１が周壁部７４の全周に亘って形成されている。このフランジ部８１は、上述した枠体６１における内筒部７１の上方を跨ぐように延び、外周縁が内筒部７１よりも径方向の外側に位置している。
囲繞筒７５は、上述したフランジ部８１の外周縁から下方に向けて延設されている。囲繞筒７５は、図２に示すように、枠体６１の内筒部７１と、ガイド壁６９または外筒部６５と、の間に位置している。
【００３８】
ここで、図１〜３に示すように、囲繞筒７５の外面には、径方向の外側に向けて突出する被係合部８２が周方向に間隔をあけて複数形成されている。これら被係合部８２は、容器軸Ｏ方向に沿う縦断面視において、径方向の外側に向かうに従い先細る台形状に形成され、周方向に沿って延在している。また、被係合部８２のうち径方向の外側に位置する外周面は円弧状に形成されている。
【００３９】
各被係合部８２は、上述した切欠き部６８内に配設され、切欠き部６８内で、外容器３の係合部２３に係合部２３の上方から各別に当接している。具体的に、各被係合部８２は、容器軸Ｏ方向から見て係合部２３及び切欠き部６８と重なる位置に配設され、底蓋４の外容器３に対する下方への移動が規制されている。本実施形態では、各被係合部８２は、各係合部２３と同数形成されるとともに、上述した各係合部２３にそれぞれ対応する位置に配設されている。図示の例では、囲繞筒７５において周方向に沿う９０度ごとの４箇所に被係合部８２が形成されている。
【００４０】
各被係合部８２における周方向の中心を通り容器軸Ｏ方向に延びる被係合部８２の中心線は、上述した各主壁部６６の中心線に一致している。また、被係合部８２は、切欠き部６８内における周方向の一端側寄りに配置され、上述した切欠き部６８の上述した一端側の側縁部６８ａに近接または当接している。
【００４１】
そして、本実施形態の回転部材６２は、各被係合部８２が係合部２３に係合し、底蓋４の下方への移動を規制する規制位置と、被係合部８２及び係合部２３が周方向に互いに離間し、底蓋４の下方への移動の規制を解除する解除位置（図４〜６参照）と、の間を容器軸Ｏ回りに回転可能に配設されている。なお、図６（ｂ）に示す例では、解除位置において、各被係合部８２が切欠き部６８から退避して各角部１３，６７と径方向で対向している。
また、回転部材６２は、上述した規制位置において、被係合部８２における周方向に沿う一端部が、上述した切欠き部６８内で上述した一端側の側縁部６８ａに当接することで、それ以上の周方向に沿う一端側への回転移動が規制されている。一方、回転部材６２は、上述した解除位置において、被係合部８２における周方向に沿う他端部が、図６（ｂ）に示すように、周方向で隣り合う他の切欠き部６８における一端側の側縁部６８ａから延びるガイド壁６９の外側端部に当接することで、回転部材６２のそれ以上の周方向に沿う他端側への回転移動が規制されている。したがって、回転部材６２は、切欠き部６８における一端側の側縁部６８ａと、周方向で隣り合う他の切欠き部６８における一端側の側縁部６８ａから延びるガイド壁６９の外側端部と、の間の角度範囲で回転可能に構成されている。
【００４２】
また、オーバーキャップ５は、ポンプヘッド４６及び外容器３の肩カバー１５を覆うように配設されており、その下端縁が外容器３における縦筒部１７に外嵌されている。
【００４３】
次に、上述した二重容器１の作用について説明する。なお、以下の説明では、主として底蓋４の取り付け方法及び取り外し方法について説明する。
まず、外容器３内に内容器６を下方から挿入する。具体的に、内容器６の肩部３３が外容器３の肩カバー１５に下方から近接するように内容器６を挿入することで、内容器６の口部３７が外容器３の頂部開口１９内に挿入されるとともに、内容器６の胴部３２が外容器３の胴部１２内に嵌合される。
【００４４】
次に、内容器６の口部３７に吐出器３１を装着する。具体的に、吐出器３１のポンプ本体５２及び吸上筒５４を口部３７内に挿入するとともに、取付キャップ４４の装着筒４５を内容器６の口部３７に螺着する。これにより、取付キャップ４４の外装筒４８と、内容器６の肩部３３と、の間で外容器３の肩カバー１５を容器軸Ｏ方向に挟んだ状態で、カートリッジ体２が外容器３にセットされる。このとき、外装筒４８の下端縁が外容器３の上段部１８に容器軸Ｏ方向で対向しているため、カートリッジ体２の外容器３に対する下方移動を規制して、カートリッジ体２が下端開口２４から抜けてしまうのを防ぐことができる。
【００４５】
続いて、底蓋４を外容器３に装着する。具体的には、図４に示すように、枠体６１に対して回転部材６２を容器軸Ｏ回りに回転させ、上述した解除位置に位置させる。すなわち、解除位置において、被係合部８２は切欠き部６８内から退避した位置に配置される。そして、底蓋４と外容器３との間で、角部１３，６７同士、及び主壁部１４，６６同士の周方向の位置を合わせた状態で、底蓋４を下方から外容器３内に挿入する（図５参照）。
【００４６】
図６に示すように、底蓋４を外容器３内に挿入すると、枠体６１における外筒部６５の上端縁が外容器３の段差部２１に近接または当接するとともに、各切欠き部６８内に外容器３の係合部２３が収容される。
続いて、枠体６１に対して回転部材６２を容器軸Ｏ回りに回転させ、被係合部８２が係合部２３に係合する規制位置に位置させる。具体的には、摘み片７７を摘んだ状態で回転部材６２を回転させると、回転部材６２の被係合部８２が切欠き部６８内における周方向の他端側から進入する。そして、被係合部８２は、切欠き部６８内における周方向の一端側において、係合部２３と容器軸Ｏ方向で重なる。これにより、被係合部８２が、切欠き部６８内で外容器３の係合部２３に係合部２３の上方から当接して、底蓋４の下方への移動が規制される。
以上により、底蓋４の取り付けが完了する。なお、規制位置において、被係合部８２は、周方向に沿う一端部が側縁部６８ａに当接することで、回転部材６２のそれ以上の周方向に沿う一端側への回転移動が規制されている。
【００４７】
次に、カートリッジ体２を外容器３から取り外す際は、まず、枠体６１に対して回転部材６２を容器軸Ｏ回りに回転させ、上述した解除位置に位置させる。これにより、被係合部８２及び係合部２３が周方向に互いに離間するとともに、切欠き部６８から退避することで、被係合部８２の下方への移動の規制が解除される。
次に、底蓋４を下方に向けて引き抜く。すると、外容器３の係合部２３が切欠き部６８から退避して、底蓋４が外容器３から取り外される。
その後、内容器６の口部３７から吐出器３１（取付キャップ４４）を取り外した後、内容器６を外容器３から引き抜く。そして、新しい内容器６を外容器３内に挿入するとともに、吐出器３１を装着した後、上述した方法により底蓋４を外容器３に再度取り付けることで、カートリッジ体２の交換作業が完了する。
【００４８】
このように、本実施形態の二重容器１によれば、回転部材６２が規制位置に位置しているときには、被係合部８２が係合部２３に係合するため、底蓋４の、下方への移動の規制が解除されるのを抑制できる。
一方で、底蓋４の取り外し時においては、枠体６１に対して回転部材６２を回転させ、回転部材６２を上述した解除位置に位置させることで、係合部２３と被係合部８２との係合が解除されるため、底蓋４の、下方への移動の規制を解除できる。
この場合、係合部２３及び被係合部８２がそれぞれ複数ずつ設けられているので、底蓋４を外容器３に対して大きく回転移動させなくても、上述の規制位置と解除位置とを切り替えることが可能になり、底蓋４を外容器３に着脱する際の操作性を向上させることができる。また、係合部２３と被係合部８２とがアンダーカット嵌合ではなく回転部材６２を容器軸Ｏ回りに回転移動させることにより互いに係合するので、例えば係合部２３及び被係合部８２のうち少なくとも一方の突出量を高くする等して互いの係合代を大きくしても、これらを互いに容易に係合させることができる。
以上により、横断面視多角形状の外容器３内にカートリッジ体２を強固に保持できるとともに、カートリッジ体２の取り外し時においては、カートリッジ体２を容易に取り外すことができる操作性に優れた二重容器１を提供できる。
【００４９】
また、被係合部８２のうち周方向の一端部に当接して回転部材６２を規制位置に位置決めする位置決め部（切欠き部６８の一端側の側縁部６８ａ）が形成されているため、規制位置において、回転部材６２の周方向の一端側への移動を規制できる。そのため、被係合部８２を係合部２３に容易、かつ確実に係合させることができる。
【００５０】
さらに、摘み片７７を摘んで回転部材６２を操作できるため、操作性を向上させることができる。また、摘み片７７の下面が、底壁部７３の外周部分７３ａに対して面一に配置されているため、摘み片７７が外容器３よりも下方に突出することがなく、二重容器１を安定して接地させることができる。
また、外容器３が、内容器６の肩部３３を覆うとともに、その内側に内容器６の口部３７が挿入された肩カバー１５を備えているため、上方への内容器６の移動を規制でき、外容器３内に内容器６を確実に保持できる。
【００５１】
以上、本発明の実施形態について図面を参照して詳述したが、具体的な構成はこの実施形態に限られるものではなく、本発明の要旨を逸脱しない範囲の設計変更等も含まれる。
【００５２】
例えば、上述した実施形態では、外容器３の係合部２３を径方向の内側に向けて突出させ、回転部材６２の被係合部８２と係合させる構成について説明したが、これに限らず、図７，８に示すように、外容器３の係合部１２３を径方向の外側に向けて窪む凹部とし、この係合部１２３内に被係合部８２を収容させる構成にしても構わない。
図示の例では、係合部１２３は、周方向の一端側から他端側に向かうに従い、径方向に沿う深さが漸次浅くなるように形成されている。すなわち、被係合部８２は、回転部材６２の回転に伴い、周方向の他端側から係合部１２３内に進入し、係合部１２３の上面及び下面と容器軸Ｏ方向で重なる規制位置に配置される。また、係合部１２３のうち周方向の一端側の端面は、被係合部８２のうち周方向の一端側の端面に当接して、回転部材６２の周方向の一端側への移動を規制する位置決め部１６９を構成している。
この構成によれば、上述した実施形態と同様に、横断面視多角形状の外容器３内にカートリッジ体２を強固に保持できるとともに、カートリッジ体２の取り外し時においては、カートリッジ体２を容易に取り外すことができる操作性に優れた二重容器１を提供できる。
【００５３】
また、上述した実施形態では、外容器３の各主壁部１４に係合部２３をそれぞれ一箇所ずつ設ける構成について説明したが、これに限らず、底蓋４が外容器３に装着可能であれば、例えば、各主壁部１４のうち、少なくとも２つ以上の主壁部１４に底蓋４が係合する構成でも構わない。
さらに、上述した実施形態では、係合部２３と被係合部８２を同数設ける構成について説明したが、これに限らず、係合部２３と被係合部８２は異数であっても構わない。
【００５４】
また、上述した実施形態では、外容器３及び内容器６の横断面形状を正方形状に形成した場合について説明したが、これに限らず、三角形、五角形等、適宜変更可能である。
【００５５】
さらに、上述した実施形態では、枠体６１の外筒部６５に切欠き部６８を形成した場合について説明したが、切欠き部６８を設けず、外筒部６５における容器軸Ｏ方向に沿う長さを、その上端縁が係合部２３に至らない長さに構成にしても構わない。
さらに、上述した実施形態では、底壁部７３にドーム部７６、及びドーム部７６から突出する摘み片７７を形成したが、これに限らず、底壁部７３の一部が上方に向けて窪む操作凹部を形成しても構わず、摘み片７７や操作凹部を設けなくてもよい。
また、上述した実施形態では、内容器６を外容器３にセットした後、吐出器３１を取り付けてカートリッジ体２としたが、これに限らず、例えば頂部開口１９を拡大する等して、取付キャップ４４の外径を頂部開口１９の内径よりも小さくすることで、カートリッジ体２を外容器３の下端開口２４から挿入しても構わない。
【００５６】
さらに、上述した実施形態では、解除位置において、被係合部８２が切欠き部６８から退避した状態について説明したが、被係合部８２及び係合部２３が周方向に互いに離間していれば、被係合部８２は切欠き部６８内に配置されていても構わない。
また、上述した実施形態では摘み片７７の下面が、底壁部７３の外周部分と面一に配置される場合について説明したが、これに限らず、底壁部７３よりも上方に配置されていても構わない。
【００５７】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００５８】
１…二重容器
３…外容器
４…底蓋
６…内容器
１２…胴部
１５…肩カバー
２３，１２３…係合部
２２…下端部
２４…下端開口
３３…肩部
３７…口部
６１…枠体
６２…回転部材
６８ａ…一端側の側縁部（位置決め部）
７６…ドーム部
７７…摘み片
８２…被係合部
１６９…位置決め部
Ｏ…容器軸
【図１】
0005743869.tif 000002
【図２】
0005743869.tif 000003
【図３】
0005743869.tif 000004
【図４】
0005743869.tif 000005
【図５】
0005743869.tif 000006
【図６】
0005743869.tif 000007
【図７】
0005743869.tif 000008
【図８】
0005743869.tif 000009